(57)【要約】【課題】部品点数の削減を図ることができるとともに、組立性を向上させることができる配線用遮断器を提供する。【解決手段】可動接触子に弾性部材を用いた配線用遮断器において、可動接触子５の一部を他部材を付勢する付勢部１８としたものである。付勢部は、瞬時引き外し装置２０の瞬時ばね、トリガばね、クロスバばね等とすることができる。またこれらのうちの２以上とすることもできる。付勢部１８は可動接触子５のクロスバ係合部よりも電路側に形成することが好ましく、特に可動接触子５の電路接続部２４よりも外側に形成することが好ましい。【選択図】図２
2015185203.tif 000002
【特許請求の範囲】
【請求項１】
可動接触子に弾性部材を用いた配線用遮断器において、可動接触子の一部を他部材を付勢する付勢部としたことを特徴とする配線用遮断器。
【請求項２】
前記付勢部が、トリガレバーを付勢するトリガばねであることを特徴とする請求項１記載の配線用遮断器。
【請求項３】
前記付勢部が、瞬時引き外し装置の瞬時ばねであることを特徴とする請求項１記載の配線用遮断器。
【請求項４】
前記付勢部が、クロスバを付勢するクロスバばねであることを特徴とする請求項１記載の配線用遮断器。
【請求項５】
前記付勢部が、瞬時引き外し装置の瞬時ばね、トリガばね、クロスバばねの２以上であることを特徴とする請求項１記載の配線用遮断器。
【請求項６】
前記付勢部を、可動接触子のクロスバ係合部よりも電路側に形成したことを特徴とする請求項２〜４の何れかに記載の配線用遮断器。
【請求項７】
前記付勢部を、可動接触子の電路接続部よりも外側に形成したことを特徴とする請求項２〜４の何れかに記載の配線用遮断器。
【発明の詳細な説明】
【技術分野】
【０００１】
本発明は、可動接触子に弾性部材を用いた配線用遮断器に関するものである。
【背景技術】
【０００２】
配線用遮断器の可動接触子としては、金属板を折り曲げ加工して剛性を持たせた構造のものが普通であるが、特許文献１に示されるように、可動接触子に弾性部材を用いた配線用遮断器も用いられている。この特許文献１の配線用遮断器の可動接触子は板ばねで構成されており、その基部は電路部に固定され、その中央部をクロスバで下方に押圧することによって、先端に設けられた可動接点を固定接点に押圧する構造である。
【０００３】
このような配線用遮断器においては、ハンドル操作によりクロスバを下降させて接点をオンとするが、過電流等が検出されたときには引き外し装置が作動してクロスバを上昇させ、可動接触子を上昇させる。この引き外し装置はトリガレバーを備えており、このトリガレバーはトリガばねによって所定方向に付勢されている。このため、トリガばねを別に製作して組み込まねばならない。このほか、配線用遮断器の種類によっては、瞬時引き外し装置の瞬時ばねや、クロスバを復帰させるためのクロスバばね等も必要となることがあり、配線用遮断器の内部に複数種類のばねを組み込む必要があった。その結果、部品点数が多く、また組立工数も多くなっていた。
【先行技術文献】
【特許文献】
【０００４】
【特許文献１】特開２００６−２３６７３２号公報
【発明の概要】
【発明が解決しようとする課題】
【０００５】
従って本発明の目的は上記した従来の問題点を解決し、内部に組み込むべきばねを削減し、部品点数の削減を図ることができるとともに、組立性を向上させることができる配線用遮断器を提供することである。
【課題を解決するための手段】
【０００６】
上記の課題を解決するためになされた本発明は、可動接触子に弾性部材を用いた配線用遮断器において、可動接触子の一部を他部材を付勢する付勢部としたことを特徴とするものである。
【０００７】
なお前記付勢部は、瞬時引き外し装置の瞬時ばね、トリガばね、クロスバばね等とすることができる。またこれらのうちの２以上とすることもできる。また前記付勢部を、可動接触子のクロスバ係合部よりも電路側に形成することが好ましく、特に可動接触子の電路接続部よりも外側に形成することが好ましい。
【発明の効果】
【０００８】
本発明の配線用遮断器は、弾性部材からなる可動接触子の一部を他部材を付勢する付勢部としたものであるから、配線用遮断器の内部に組み込まれるばねを減らすことができ、部品点数の削減を図ることができるとともに、組立作業性も向上させることができる。
【０００９】
また請求項６のように、付勢部を可動接触子のクロスバ係合部よりも電路側に形成すれば、可動接触子の動作に悪影響を及ぼすことがなく、請求項７のように、付勢部を可動接触子の電路接続部よりも外側に形成すれば、可動接触子の動作に悪影響を及ぼすことがないうえ、付勢部のばね力を細かく設定することができる。
【図面の簡単な説明】
【００１０】
【図１】第１実施形態の配線用遮断器の内部構造を示す縦断面図である。
【図２】要部の拡大斜視図である。
【図３】第２実施形態の配線用遮断器の内部構造を示す縦断面図である。
【図４】要部の拡大斜視図である。
【図５】第３実施形態の配線用遮断器の内部構造を示す縦断面図である。
【図６】要部の拡大斜視図である。
【図７】第４実施形態の配線用遮断器の内部構造を示す縦断面図である
【図８】第５実施形態の配線用遮断器の内部構造を示す縦断面図である
【図９】第６実施形態の配線用遮断器の内部構造を示す縦断面図である
【発明を実施するための形態】
【００１１】
以下に本発明の好ましい実施形態を示す。
図１は第１実施形態の配線用遮断器の内部構造を示す縦断面図である。
【００１２】
これらの図において、１はケース、２はその電源側に設けられたプラグ端子、３は負荷側に設けられた負荷側端子である。負荷側端子３の下方には固定接点４が設けられている。５は先端に可動接点６を備えた可動接触子であり、弾性部材である板ばねからなるものである。可動接触子５の基部は瞬時引き外し装置７の上端にリベット８によって固定され、電路接続部となっている。
【００１３】
９はケース１の上部に軸１０を中心として回転可能に設けられたハンドルである。ハンドル９の下方にはリンク１１を介してラッチ１２が連結されている。ラッチ１２の一端は引外し部材であるトリガレバー１３の突起１４に支持されており、他端は駆動部材であるクロスバ１５の上端に支持されている。クロスバ１５はクロスバばね１６によって常に上向きに付勢されているが、ハンドル９がオン位置にある図１の状態では、リンク１１によってクロスバ１５が押し下げられ、それによって可動接触子４も押し下げられて可動接点６を固定接点５に接触させている。
【００１４】
トリガレバー１３は中央の軸１７によって揺動自在に支持されているが、その下部は可動接触子５の一部に形成された付勢部１８によって図２の左方向に付勢されている。この付勢部１８はトリガばねであり、この実施形態では、図３に示すように可動接触子５の端部を上向きにくの字に折り曲げて形成されたものである。なお図２ではばね弾性を細かく調整するために、貫通孔１９が形成されている。
【００１５】
２０は漏電引き外し装置であり、ＺＣＴが漏電電流を検出するとトリガレバー１３の上部を左方向に引いてラッチ１２とトリガレバー１３の突起１４との係合を外し、トリップさせる。このときクロスバ１５はクロスバばね１６によって上方に動き、可動接触子５はそれ自体の弾力によって上方に移動して固定接点４から離れる。このほか、短絡事故などによって大電流が流れた場合には瞬時引き外し装置７の鉄片２２が引き寄せられてトリガレバー１３の下側を右方向に動かし、同様にトリップ動作を行なわせる。また２３は過電流引き外し用のバイメタルであり、過電流により湾曲するとトリガレバー１３の下側を右方向に動かし、同様にトリップ動作を行なわせる。
【００１６】
このように、第１実施形態では弾性部材からなる可動接触子５の一部をトリガレバー１３を付勢するトリガばねとして機能する付勢部１８としたものであるから、部品点数の削減を図ることができるとともに、組立作業性も向上させることができる。また上記のように付勢部１８を可動接触子５がクロスバ１５によって押圧される位置よりも電路側（可動接点５とは反対側）に形成したので、付勢部１８を設けたことによって可動接触子５の動作に影響が及ぶことはない。特に第１実施形態では、付勢部１８を可動接触子５の電路接続部２４よりも外側に設けたので、可動接触子５への影響はなくなる。
【００１７】
図３は第２実施形態の配線用遮断器の内部構造を示す縦断面図、図４は要部の拡大斜視図である。この第２実施形態では、弾性部材からなる可動接触子５の端部を上方にコの字状に折り曲げて、クロスバ１５を上方に付勢する付勢部２５を形成している。この付勢部２５は図１に示したクロスバばね１６と同様に作用するものである。なお付勢部２５の位置は付勢部１８と同じである。
【００１８】
図５は第３実施形態の配線用遮断器の内部構造を示す縦断面図、図６は要部の拡大斜視図である。この第３実施形態では、弾性部材からなる可動接触子５の途中から垂直辺２６と水平辺２７と突辺２８とを折り曲げ形成し、クロスバ１５を上方に付勢する付勢部２９を形成している。第２、第３の実施形態における付勢部２５、２９は何れも、可動接触子５のクロスバ係合部よりも電路側に形成されている。
【００１９】
図７に示す第４実施形態では、弾性部材からなる可動接触子５の端部を下方に折り曲げて、瞬時引き外し装置７の鉄片２２を付勢する付勢部３０を形成している。この付勢部３０は瞬時ばねとして作用するものである。
【００２０】
図８に示す第５実施形態では、可動接触子５の端部に、第１実施形態と同様の付勢部１８を形成するとともに、可動接触子５の途中に第３実施形態と同様のクロスバ１５を上方に付勢する付勢部２９を形成したものである。また図９に示す第６実施形態では、可動接触子５に、第１実施形態と同様の付勢部１８と、第４実施形態と同様の瞬時ばねとして作用する付勢部３０とを形成したものである。このように複数の付勢部を形成することも可能である。
【００２１】
以上に説明したように、本発明の配線用遮断器は、弾性部材からなる可動接触子５の一部を他部材を付勢する付勢部１８、２５、２９、３９としたことにより、部品点数の削減を図ることができるとともに、組立性を向上させることができる利点がある。
【符号の説明】
【００２２】
１  ケース
２  プラグ端子
３  負荷側端子
４  固定接点
５  可動接触子
６  可動接点
７  瞬時引き外し装置
８  リベット
９  ハンドル
１０  軸
１１  リンク
１２  ラッチ
１３  トリガレバー
１４  突起
１５  クロスバ
１６  クロスバばね
１７  軸
１８  付勢部
１９  貫通孔
２０  漏電引き外し装置
２２  鉄片
２３  バイメタル
２４  電路接続部
２５  付勢部
２６  垂直辺
２７  水平辺
２８  突辺
２９  付勢部
３０  付勢部
【図１】
2015185203.tif 000003
【図２】
2015185203.tif 000004
【図３】
2015185203.tif 000005
【図４】
2015185203.tif 000006
【図５】
2015185203.tif 000007
【図６】
2015185203.tif 000008
【図７】
2015185203.tif 000009
【図８】
2015185203.tif 000010
【図９】
2015185203.tif 000011